【事件の表示】
　特願２０１８−１３３１６４「画像形成装置」拒絶査定不服審判事件〔平成３０年１０月１１日出願公開、特開２０１８−１５８５８８〕について、次のとおり審決する。
【結　論】
　本件審判の請求は、成り立たない。
【理　由】
第１　手続の経緯
　本願は、平成２３年８月２５日を出願日とする特願２０１１−１８３３３０（以下「第１原出願」という。）の一部を平成２５年７月１９日に新たな特許出願とした特願２０１３−１５０２６８号の一部をさらに平成２６年６月２６日に新たな特許出願とした特願２０１４−１３１７５５号の一部をさらに平成２７年８月７日に新たな特許出願とした特願２０１５−１５７１７７号の一部をさらに平成２８年６月１０日に新たな特許出願とした特願２０１６−１１５９１７号の一部をさらに平成２８年１１月４日に新たな出願とした特願２０１６−２１６０３０号の一部をさらに平成３０年７月１３日に新たな出願としたものであって、平成３１年３月１９日付けで拒絶理由が通知され、令和１年５月２９日に意見書及び手続補正書が提出され、同年６月１４日付けで拒絶査定（発送日：同年６月２５日、以下「原査定」という。）がなされた。
　これに対して同年９月２０日に拒絶査定不服審判の請求がされたものである。
第２　本願発明
　本願の請求項１ないし７に係る発明は、令和１年５月２９日に提出された手続補正書により補正された特許請求の範囲の請求項１ないし７に記載された事項により特定されるとおりのものであって、そのうち請求項１に係る発明（以下、「本願発明１」という。）は、つぎのとおりのものである。
「【請求項１】
　画像形成機能を有する装置本体の筐体と、
　前記筐体の正面側に配置された操作部と、
を備え、
　前記操作部は、操作パネルおよび前記を囲む外枠部分を含み、
　前記筐体の正面は、
　前記操作部の下方の領域に、同一の色彩で形成された一定の幅の部分を有し、
　前記一定の幅の部分の幅は、前記操作部の幅より小さく、前記操作パネルの幅に略等しい、画像形成装置。」
　なお本願明細書には、上記「外枠部分」の記載はなく、同「操作部」と同「操作パネル」の記載はあるものの両者の区別についての説明はされていないが、本願明細書段落【００３２】に【符号の説明】として「操作パネル（操作部）」は符号１１３として記載されており、本願図１（Ｂ）をみると符号１１３が付された部材には外枠状のものが見て取れ、当審では、当該外枠状のものを「外枠部分」、当該外枠状のものに囲まれた部分を「操作パネル」、「外枠部分」と「操作パネル」を合わせたものを「操作部」であると解して（下記符号１１３の部材拡大図参照。）検討をすすめる。
　本願図１（Ｂ）は以下のものである。
　上記図１（Ｂ）の符号１１３の部材拡大図（下記「外枠部分」、「操作パネル」、「操作部」の表記は当審で付加した。）
第３　電気通信回線を通じて公衆に利用可能となった引用文献
１．引用文献　
“ＫＯＮＩＣＡ　ＭＩＮＯＬＴＡ　ｂｉｚｈｕｂ　Ｃ６５２／Ｃ５５２／Ｃ４５２　カタログ”［ｏｎｌｉｎｅ］、コニカミノルタビジネスソリューションズ株式会社、２０１０年　２月、［平成３１年　３月１９日検索］、インターネット、＜ＵＲＬ：ｈｔｔｐｓ：／／ｗｗｗ．ｋｏｎｉｃａｍｉｎｏｌｔａ．ｊｐ／ｂｕｓｉｎｅｓｓ／ｐｒｏｄｕｃｔｓ／ｃｏｐｉｅｒｓ／ｃｏｌｏｒ／ｂｉｚｈｕｂ＿ｃ６５２＿ｃ５５２／ｐｄｆ／ｂｉｚｈｕｂ＿ｃ６５２＿ｃ５５２＿ｃ４５２．ｐｄｆ＞（以下、「引用文献」という。）
　　　
２．原査定の理由において引用され、第１原出願の出願前に電気通信回線を通じて公衆に利用可能となった引用文献には、つぎの事項が記載されている。
（１）引用文献の第０４ページ（引用文献の１枚目を第０１ページとし、２枚目以降は各ページの左下、右下のいずれかに記載されている表示「０２　ｂｉｚｈｕｂ　Ｃ６５２／Ｃ５５２／Ｃ４５２」等に示されている数字をページ数とする。例えば「０２　ｂｉｚｈｕｂ　Ｃ６５２／Ｃ５５２／Ｃ４５２」又は「０３　ｂｉｚｈｕｂ　Ｃ６５２／Ｃ５５２／Ｃ４５２」の表示に基づいてそれぞれ「第０２ページ」、「第０３ページ」という。）３行目左上の「オフィスのための複合機ｂｉｚｈｕｂ　Ｃ６５２シリーズ」との記載から、引用文献には「
複合機ｂｉｚｈｕｂ　６５２
（２）引用文献の第０４ページには、「カラー液晶コントロールパネル」との表題とともに「指やタッチペンで直接画面に触れて操作できるタッチパネル式の８．５型ＷＶＧＡ（８００×４８０ドット）大型カラー液晶を採用しました。」との記載と「カラー液晶コントロールパネル」の画像が記載されており、上記画像をみると、
カラー液晶コントロールパネルとはタッチパネル式の大型カラー液晶を外枠で囲んだものを含むもの
　上記「カラー液晶コントロールパネル」の画像は次のものである。
（３）引用文献の第０１ページには、「複合機ｂｉｚｈｕｂ　Ｃ６５２」の画像が掲載されており、同画像及び引用文献の第０４ページの「ブラック＆ホワイトのスタイリッシュボディ」との表題とともに「オフィスインテリアとの調和を追求したシンプルなフォルムと、斬新なブラック＆ホワイトのボディーカラーを採用。裏面の配線もスッキリ隠せるのでオフィスの中心に設置しても違和感がなく、複合機による最適配置にも柔軟に対応した美しいレイアウトが可能です。表の
ホワイトライン部
　ここで、上記「複合機ｂｉｚｈｕｂ　Ｃ６５２」の画像をみると「カラー液晶コントロールパネル」が取り付けられた箱状の物体がみてとれ、以下この物体を「本体筐体」という。
　複合機ｂｉｚｈｕｂ　Ｃ６５２は、本体筐体と本体筐体の正面側（画像の視点側。）にカラー液晶コントロールパネルを備え、上記本体筐体正面の上記「カラー液晶コントロールパネル」の下方の領域に、上下に伸びた長方形状の部分と該長方形状の部分の一部から左側に突出した部分からなるホワイトライン部が配置され、前記ホワイトライン部の上下に伸びた長方形状の部分の幅は、カラー液晶コントロールパネル及びタッチパネル式の大型カラー液晶の幅より小さい
上記「複合機ｂｉｚｈｕｂ　Ｃ６５２」の画像は次のものである。
３．引用文献記載の発明
　以上によれば、引用文献には、つぎの発明が記載されているものと認められる。
「本体筐体と本体筐体の正面側にカラー液晶コントロールパネルを備え、
　上記カラー液晶コントロールパネルはタッチパネル式の大型カラー液晶を外枠で囲んだものを含むものであり、
　上記本体筐体正面の上記カラー液晶コントロールパネルの下方の領域に、上下に伸びた長方形状の部分と該長方形状の部分の一部から左側に突出した部分からなるホワイトライン部が配置され、前記ホワイトライン部の上下に伸びた長方形状の部分の幅はカラー液晶コントロールパネル及びタッチパネル式の大型カラー液晶の幅より小さい複合機ｂｉｚｈｕｂ　Ｃ６５２」
　　　
第４　当審の判断
　　
１．本願発明１と引用発明との対比
　引用発明の「タッチパネル式の大型カラー液晶」、「外枠」、「カラー液晶コントロールパネル」はそれぞれ、本願発明１の「操作パネル」、「外枠部分」、「操作部」に相当する。
　「複合機」とは、プリンター、コピー機、ファックス機の機能を兼ね備えた装置のことを指すことは、技術常識に照らして明らかであるから、引用発明の「複合機ｂｉｚｈｕｂ　Ｃ６５２」は、本願発明１の「画像形成装置」に相当する。
　上記の検討のとおり、引用発明の「複合機ｂｉｚｈｕｂ　Ｃ６５２」は画像形成ができるものであり、技術常識に照らして、引用発明において画像形成が「本体筐体」でなされることも明らかであるから、「複合機ｂｉｚｈｕｂ　Ｃ６５２」の「本体筐体」は、本願発明１の「画像形成機能を有する装置本体の筐体」に相当する。
　引用発明の「本体筐体の正面側」に「備え」られる「カラー液晶コントロールパネル」は、本願発明１の「筐体の正面側に配置された操作部」に相当する。　
　引用発明の「カラー液晶コントロールパネルはタッチパネル式の大型カラー液晶を外枠で囲んだものを含むものであ」ることは、本願発明１の「操作部は、操作パネルおよび前記操作パネルを囲む外枠部分を含」むことに相当する。
　引用発明の「ホワイトライン部の上下に伸びた長方形状の部分」は、上記「複合機ｂｉｚｈｕｂ　Ｃ６５２」の画像を参照すると「同一の色彩で形成され」ており、その長方形状の部分は「一定の幅」であるので、引用発明の「本体筐体正面の上記カラー液晶コントロールパネルの下方の領域に、上下に伸びた長方形状の部分」「からなるホワイトライン部が配置され」ていることは、本願発明１の「前記筐体の正面は、操作部の下方の領域に、同一の色彩で形成された一定の幅の部分を有し」ていることに相当する。
　引用発明の「ホワイトライン部の上下に伸びた長方形状の部分の幅」が「カラー液晶コントロールパネル」（本願発明１の「操作部」に相当。）の幅より小さいことは、本願発明１の「前記一定の幅の部分の幅は、前記操作部の幅より小さ」いことに相当する。
２．一致点・相違点
　前記「１．」の検討をふまえれば、本願発明１と引用発明とは、つぎの一致点で一致し、各相違点で相違するものである。
＜一致点＞
「画像形成機能を有する装置本体の筐体と、
　前記筐体の正面側に配置された操作部と、
を備え、
　前記操作部は、操作パネルおよび前記を囲む外枠部分を含み、
　前記筐体の正面は、
　前記操作部の下方の領域に、同一の色彩で形成された一定の幅の部分を有し、
　前記一定の幅の部分の幅は、前記操作部の幅より小さい、画像形成装置。」
＜相違点＞　
相違点
　本願発明１の「一定の幅の部分の幅」は「操作パネルの幅に略等しい」のに対して、引用発明の「ホワイトライン部の上下に伸びた長方形状の部分」の幅は「タッチパネル式の大型カラー液晶」（本願発明１の「操作パネル」に相当。）の幅より小さい点。
３．相違点についての当審の判断
　審判請求人は、審判請求書において「本願において「一定の幅の部分」の幅の大きさを、操作パネルの幅に略等しくすることで、操作パネルがどの範囲に存在するかという情報を与えることが可能となります。
　従って上記構成は、
操作部へのアクセスを容易にするための重要な要素
　引用文献１（審判註：本審決における「引用文献」のこと。）には、画像形成装置の装置本体の筐体の正面であって、操作部の下方の領域に、同一の色彩で形成された一定の幅の部分を有している構成が開示されていると看取できますが、上述いたしました本願請求項１に記載の重要な構成要件（特に、一定の幅の部分の幅は、操作部の幅より小さく、操作パネルの幅に略等しい点）について、何ら記載も示唆もありません。
　引用文献１では、操作部の下方の領域に、白色（同一の色彩）で形成された一定の幅の部分を有していますが、これは操作部へのアクセスを容易にするために設けたものではなく、単に装置の端部に同一の色彩で形成された一定の幅の部分を設けたものです。その根拠として引用文献１の３ページ下段に示された写真において、ｂｉｚｈｕｂ　ｃ６５２では本体右側に接続されたオプション機器の右側端部にも同様に同一の色彩で形成された一定の幅の部分を設けています。よって、引用文献からでは、当業者であっても、本願請求項１に係る発明に容易に想到することはできません。」と主張している。　
　上記の審判請求人の「
操作部
操作部
　これに対して、上記第３　２．（３）で示したとおり、引用文献の第０４ページの「ブラック＆ホワイトのスタイリッシュボディ」との表題とともに「表の
ホワイトライン部には情報を光で知らせる機能を持たせています
ホワイトライン部
　審判請求人の上記「操作パネルの幅に略等しくすることで、操作パネルがどの範囲に存在するかという情報を与えることが可能とな」るとの主張は、「操作部」ではなく、「操作パネルがどの範囲に存在するか」を問題としているとも見受けられるのでそれについて検討すると、上記符号１１３の部材拡大図には、操作パネルのサイズと操作部のサイズが大差なく描画されていることを勘案すると、操作部の位置がわかれば操作パネルの位置もおのずとわかるので、上記「操作部」ではなく、「操作パネルがどの範囲に存在するか」を問題とすることに格別の技術的意義があるとは解されない。
　また、相違点に係る本願発明１の発明特定事項である「（操作部の下方の領域に、同一の色彩で形成された）一定の幅の部分の幅は」、「操作パネルの幅に略等しい」点について、本願明細書には「操作位置ライン１０１の幅は問わないが、図示の如く操作パネル１１３の設置幅に略等しい幅とすると違和感がなく好ましい。」（段落【００２２】）と記載されているように、「操作パネル１１３」と「操作位置ライン１０１」の幅（サイズ）を揃えて違和感をなくすということは、デザイン的な意図をもってなされたものと解される。
　他方、近接する複数の部材の幅を揃えればデザイン上の統一感を形成できることは、デザインする際の常套テクニックというべきものであることに照らせば、本願発明１の相違点に係る構成は、引用発明から容易に想到し得たものであるというべきである。
　
　よって、上記相違点は、当業者が容易に想到し得るものである。
　また、本願発明１の効果も、引用発明や上記デザイン上の常套手段を勘案すれば、予測し得る程度のものである
４．以上のとおりであるから、本願発明１は、引用発明に基づいて当業者が容易に発明をすることができたものである。
　よって、特許法第２９条第２項の規定により特許を受けることができないものである。
第５　むすび
　前記のとおり、本願発明１は、特許法第２９条第２項の規定により特許を受けることができないものであるから、その余の請求項に係る発明について論及するまでもなく、本願は拒絶すべきものである。
　よって、前記の結論のとおり審決する。